(57)【特許請求の範囲】
【請求項１】
壁面に設置される装置の筐体に係合して該筺体を前記壁面に取り付けるのに使用されるアタッチメントと、該アタッチメントに形成されたピン挿通孔に貫通して前記壁面に打設される固定用ピンと、からなる取付ユニットであって、
前記アタッチメントの前記ピン挿通孔の入り口内部に該ピン挿通孔の軸に対して傾斜した当接面が形成され、前記固定用ピンの先端を該当接面に当接させるとともに該固定用ピンを前記ピン挿通孔の軸から傾斜させて該ピン挿通孔の入り口内部に仮保持するようにしたことを特徴とする取付ユニット。
【請求項２】
前記アタッチメントの前記装置の筺体を係合する側に、該筺体内に挿通して該装置の起動スイッチを操作するスイッチ用突起が形成されていることを特徴とする請求項１に記載の取付ユニット。
【発明の詳細な説明】
【技術分野】
【０００１】
本発明は、ガス漏れ警報器や火災警報器等の装置の筐体を壁面に取り付けるための取付ユニットに関する。
【背景技術】
【０００２】
従来、警報器等の取り付けに関する作業性の向上を目的とした取付ユニットとして、例えば、特開２００７−１２８２１０号公報（特許文献１）に開示されたものがある。この特許文献１のものは、ガス漏れ警報器や火災警報器等の装置の筺体を木の壁面や石膏ボードの壁面に取り付けるものである。そして、木の壁面に取り付けた木ねじの頭部に吊す際にも、あるいは、石膏ボードの壁面に小径長尺の固定用ピンで取り付けたアタッチメントのフックに吊す際も、筺体の木ねじの頭部やフックの位置合わせを作業性よく行うことができるものである。
【先行技術文献】
【特許文献】
【０００３】
【特許文献１】特開２００７−１２８２１０号公報
【発明の概要】
【発明が解決しようとする課題】
【０００４】
しかしながら、この種の従来の取付ユニットでは、出荷後、取り付け先にて警報器を壁面に取り付けようとする際に、アタッチメントは固定用ピン及び木ねじと共にポリ袋に梱包されている。このため、ポリ袋から取り出す際に、小さい固定用ピンが飛び散り、棚や冷蔵庫等の下に入り込んでしまって紛失したり、固定用ピンの先端で指を怪我したり、設置作業後にポリ袋がゴミとして残ってしまうという問題がある。
【０００５】
そこで、本発明は、従来のアタッチメントの設置性の機能を損なうことなく、ポリ袋等を用いないでもアタッチメントと固定用ピンとを保持できるようにして、ポリ袋等のゴミが発生を抑えた取付ユニットを提供することを課題とする。
【課題を解決するための手段】
【０００６】
請求項１の取付ユニットは、壁面に設置される装置の筐体に係合して該筺体を前記壁面に取り付けるのに使用されるアタッチメントと、該アタッチメントに形成されたピン挿通孔に貫通して前記壁面に打設される固定用ピンと、からなる取付ユニットであって、前記アタッチメントの前記ピン挿通孔の入り口内部に該ピン挿通孔の軸に対して傾斜した当接面が形成され、前記固定用ピンの先端を該当接面に当接させるとともに該固定用ピンを前記ピン挿通孔の軸から傾斜させて該ピン挿通孔の入り口内部に仮保持するようにしたことを特徴とする。
【０００７】
請求項２の取付ユニットは、請求項１に記載の取付ユニットであって、前記アタッチメントの前記装置の筺体を係合する側に、該筺体内に挿通して該装置の起動スイッチを操作するスイッチ用突起が形成されていることを特徴とする。
【発明の効果】
【０００８】
請求項１の取付ユニットによれば、アタッチメントに形成されたピン挿通孔の入り口内部において固定用ピンの先端を当接面に当接させ、この固定用ピンがピン挿通孔におい仮保持されているので、請求項１と同様に梱包箱等からアタッチメントを取り出すとき固定用ピンが一体になって取り出すことができ、固定用ピンの紛失等も防止でき装置の設置時の作業性を損なうことがない。また、ポリ袋等も必要とせず、ゴミを低減して環境保護にもなる。
【０００９】
請求項２の取付ユニットによれば、請求項１の効果に加えて、アタッチメントに装置の筺体を係合して該装置を設置したときに、アタッチメントに形成されたスイッチ用突起により装置の起動スイッチが操作されるので、装置の例えば電源投入の作業を別途行う必要がなく、設置作業の作業性が向上する。
【図面の簡単な説明】
【００１０】
【図１】本発明の第１参考例の取付ユニットの５面図である。
【図２】同取付ユニットの装置の筺体を係合する側から見た斜視図である。
【図３】同取付ユニットの壁面に当接する側から見た斜視図である。
【図４】本発明の実施形態における火災警報器の出荷時に梱包する梱包箱の一例を示す斜視図である。
【図５】本発明の第２参考例のアタッチメントを示す筺体側から見た斜視図である。
【図６】実施懈怠における火災警報器の要部ブロック図である。
【図７】同アタッチメントに火災警報器を係合した状態を示す一部断面斜視図である。
【図８】本発明の実施形態の取付ユニットの出荷時の状態を示す斜視図及び一部拡大断面斜視図である。
【図９】同アタッチメントを壁面に固定するときの状態を示す斜視図及び一部拡大斜視図である。
【発明を実施するための形態】
【００１１】
次に、本発明の実施の形態及び参考例を図面を参照して説明する。なお、実施の形態の取付ユニットは火災警報器を設置するためのものである。図１は第１参考例の取付ユニットの５面図、図２は同取付ユニットの装置の筺体を係合する側（以下、「筺体側」という。）から見た斜視図、図３は同取付ユニットの壁面に当接する側（以下、「壁面側」という。）から見た斜視図である。
【００１２】
この第１参考例の取付ユニットは、アタッチメント１と３本の固定用ピン２とから成る。アタッチメント１は、ベース部１１と、ベース部１１の上方に連設された上突出片部１２及び係合爪部１３，１４と、ベース部１１の下方に連設された下突出片部１５と、下突出片部１５の下端に形成されたサブベース部１６とを有している。また、固定用ピン２は円錐形状の先端部２１と、円柱状の軸部２２と円盤状の頭部２３とで構成されている。
【００１３】
アタッチメント１のベース部１１は横長直方体状の形状をしており、このベース部１１には、上突出片部１２の両端下方に対応する２カ所の位置に、筺体側と壁面側にかけて上方に傾斜して貫通するピン挿通孔１１ａ，１１ａが形成されている。上突出片部１２は、上端面１２ａとテーパ面１２ｂを有する略台形柱状の形状をしいる。この上突出片部１２には、そのテーパー面１２ｂから下突出片部１５側に貫通する３つのピン保持孔（ピン保持部）１２ｃ，１２ｃ，１２ｃが形成されている。このピン保持孔１２ｃの筺体側の内面と壁面側の内面の間隔は、固定用ピン２の軸部２２の直径よりわずかに小さく形成されている。
【００１４】
サブベース部１６はテーパ面１６ａを有する略台形柱状の形状とされており、このサブベース部１６の前記ベース部１１側には、筺体に当接する筺体当接端１６ｂ，１６ｂを有する板状のピン隠しリブ１６ｃが形成されている。このピン隠しリブ１６ｃは前記３つのピン保持孔１２ｃ，１２ｃ，１２ｃに対向している。また、ピン隠しリブ１６ｃとテーパ
面１６ａとの間には溝１６ｄが形成され、さらに、溝１６ｄの中央に筺体側と壁面側とに貫通するピン挿通孔１６ｅが形成されている。下突出部１５には木ねじ等により壁面に取り付ける時のダルマ孔１５ａが形成されており、この下突出部１５の壁面側でダルマ孔１５ａの左右両脇には、円錐状の係止爪１５ｂ，１５ｂが突設されている。
【００１５】
以上の構成により、アタッチメント１に固定用ピン２を仮保持するときは、固定用ピン２の先端部２１をアタッチメント１のピン保持孔１２ｃを通し、該先端部２１がピン隠しリブ１６ｃに当接するまで挿入される。この状態で、頭部２３の裏側が上突出片部１２の上端面１２ａに当接する。また、ピン保持孔１２ｃの筺体側の内面と壁面側の内面の間隔が軸部２２の直径よりわずかに小さく形成されているので、固定用ピン２はアタッチメント１を逆さにしても外れることはない。
【００１６】
アタッチメント１の上突出部１２にはテーパ面１２ｂが形成されているので、このテーパ面１２ｂの位置で、固定用ピン２の軸部２２の一端（頭部２３側）が上突出部１２から露出しているので、この部分で、特に頭部２３が固定用ピン２を取り出す時の手がかりになり、取り出し易くなっている。また、固定用ピン２の先端部２１は隠しリブ１６ｃで保護されているので、この固定用ピン２の先端部２１で怪我などすることがない。
【００１７】
図４は火災警報器の出荷時に梱包する梱包箱の一例を示す斜視図であり、梱包箱２０には火災警報器１０が収納されている。梱包箱２０は段ボールで形成されており、この梱包箱２０は段ボールの一部分で形成された部品保持部を有している。この部品保持部２０ａには、固定用ピン２を保持した状態でアタッチメント１を挟んで収納するためのスリット部２０ｂが形成されている。そして、アタッチメント１は前記サブベース１６をスリット部２０内に挿入して当該アタッチメント１が火災警報器１０と共に梱包される。ここで、アタッチメント１のサブベース部１６の下端には前記テーパ面１６ａが形成されている。したがって、アタッチメント１をスリット部２０ｂに嵌め込むときに、このテーパ面１６ａによりスリット部２０ｂに導き易くなり、梱包作業の作業性が向上する。なお、図示は省略するが、木ねじはスリット部２０ｂの近くに開けた穴に差し込んで梱包される。
【００１８】
アタッチメント１を壁面に固定するときは、壁面側を壁面に当接させ、固定用ピン２，２，２を、ベース部１１のピン挿通孔１１ａ，１１ａとサブベース部１６のピン挿通孔１６ｅに筺体側から挿入し、ベース部１１においては壁面に上方に向かって傾斜してピン２，２を打ち込み、サブベース１６においては壁面に垂直にピン２を打ち込む。また、このとき、下突出片部１５の壁面側に突設された係止爪１５ｂ，１５ｂが壁面に押し付けられて食い込み、壁面に係止される。なお、サブベース部１６のピン挿通孔１６ｅの周囲一部には溝１６ｄが形成されているので、作業のやり直しが発生した場合、この溝１６ｄにラジオペンチ等を挿入して固定用ピン２を容易に引き抜くことができる。
【００１９】
また、図３に一点鎖線で示すように、火災警報器１０の筺体の裏面の上部には、左右方向の中央には、アタッチメント１を嵌合するための水平凹部１０Ａと垂直凹部１０Ｂとが形成されている。また、水平凹部１０Ａの両端には筺体の上面に貫通する貫通孔１０Ｃ，１０Ｄが形成されている。そして、アタッチメント１の係合爪部１３，１４を貫通孔１０Ｃ，１０Ｄに挿入し、アタッチメント１のベース部１１及び上突出片部１２を水平凹部１０Ａに、下突出片部１５及びサブベース部１６を垂直凹部１０Ｂにそれぞれ嵌合させることにより、火災警報器１０の筺体がアタッチメント１に係合される。
【００２０】
図５は第２参考例のアタッチメント１を示す筺体側から見た斜視図であり、第１参考例と同様な要素には図１〜３と同符号を付記して詳細な説明は省略する。なお、この第２参考例では固定用ピンは図示を省略してある。
【００２１】
このアタッチメント１には、サブベース部１６の筺体当接端１６ｂ，１６ｂのうちの一方に、下突出部１５と垂直にして筺体側に突出するスイッチ用突起１６ｆが形成されている。なお、このスイッチ用突起１６ｆ以外は第１実施形態と同じ構造である。
【００２２】
図６は第２参考例のアタッチメント１に係合される火災警報器１０の要部ブロック図である。火災警報器１０はＣＰＵ１００を備えており、ＣＰＵ１００には、煙センサ２０、引き紐の操作によりオン／オフする点検スイッチ３０、メモリ回路４０及び音声出力回路５０が接続されている。また、火災警報器は電池Ｂａからの電源を当該火災警報器の各部に供給する電源回路６０を備えている。この電源回路６０は当該火災警報器の各部に所定の電圧を供給するが、音声出力回路５０に対しては前記起動スイッチ１０ｂを介して電源を供給する。図６において、起動スイッチ１０ｂはオン状態を示しており、この起動スイッチ１０ｂがオン状態のときには音声出力回路５０への電源は遮断され、起動スイッチ１０ｂがオフ状態になると音声出力回路５０に電源が供給される。なお、音声出力回路５０は、点検機能時あるいは火災検出時に警報用の音声信号を出力してスピーカ７０で警報を鳴らす。また、図示は省略するが外部機器との接続を行うインターフェース回路等も備えている。
【００２３】
火災警報器１０のＣＰＵ１００の制御による概略動作について説明する。起動スイッチ１０ｂがオンの状態では出荷モードとなり、この出荷モード時には、ＣＰＵ１００は起動スイッチ１０ｂの状態を監視する低消費状態となる。起動スイッチ１０ｂがオフの状態で監視モードとなる。監視モード時には、ＣＰＵ１００は火災センサ２０を監視しており、火災発生時に火災センサ２０が煙を検知すると、ＣＰＵ１００は音声出力回路５０を駆動してスピーカ７０によりブザー音及び音声で火災警報を発する。引き紐の引き動作により点検スイッチ３０がオンとなると、機器の点検機能として警報の出力を行うとともに、この点検機能時に引き紐の引き動作により点検スイッチ３０がオンとなると警報音の停止等が行われる。
【００２４】
図７は第２参考例のアタッチメント１に火災警報器１０を係合した状態を示す一部断面斜視図である。火災警報器１０の筺体１０ａの内部には当該火災警報器１０を起動するための前記起動スイッチ１０ｂが形成されており、アタッチメント１に係合されていないときには、起動スイッチ１０ｂはオン状態となっており、前記出荷モードとなっている。そして、当該火災警報器１０をアタッチメント１に係合（設置）すると、アタッチメント１のスイッチ用突起１６ｆが該起動スイッチ１０ｂを押すことにより火災警報器１０が起動する。これにより、火災警報器１０を設置するだけで自動的に起動することができ、設置作業の作業性が向上する。
【００２５】
図８は本発明の実施形態の取付ユニットの出荷時の状態を示す斜視図（図８(A) ）及び一部拡大断面斜視図（図８(B) ）である。なお、図では固定用ピン２を一本図示を省略してある。この実施形態の取付ユニットは、アタッチメント３と３本の固定用ピン２とから成る。アタッチメント３は、ベース部３１と、ベース部３１の上方に連設された上突出片部３２及び係合爪部３３，３４と、ベース部３１の下方に連設された下突出片部３５と、下突出片部３５の下端に形成されたサブベース部３６とを有している。
【００２６】
アタッチメント３のベース部３１の筺体側の中央部には凹部３１Ａが形成されており、このベース部３１の下突出片部３５の両脇に対応する２カ所の位置に、筺体側と壁面側にかけて上方に傾斜して貫通するピン挿通孔３１ａ，３１ａが形成されている。また、サブベース部３６の中央には、筺体側と壁面側にかけて下方に傾斜して貫通するピン挿通孔３６ｅが形成されている。
【００２７】
図８(B) はピン挿通孔３１ａの入り口内部の構造を示す図であり、このピン挿通孔３１ａの入り口には長開口部３１ａ１を有している。この長開口部３１ａ１の形状は、下突出片部３５に平行な方向の幅が固定用ピン２の軸部２２の直径よりわずかに小さく、下突出片部３５に直角な方向の幅が固定用ピン２の軸部２２の直径より大きくなるような形状となっている。また、ピン挿通穴３１ａは内部に下突出部３５に対して直角で、ピン挿通孔３１ａの軸Ｌに対して傾斜した当接面３１ａ２が形成されている。
【００２８】
以上の構成により、アタッチメント３に固定用ピン２を仮保持するときは、固定用ピン２の先端部２１をピン挿通孔３１ａ内に挿入し、この先端部２１を当接面３１ａ２に当接させるとともに固定用ピン２をピン挿通孔３１ａの軸Ｌから傾斜させ、下突出片部３５と平行な状態でピン挿通孔３１ａの入り口内部に仮保持する。このとき、固定用ピン２の軸部２２の先端部２１側の一部も長開口部３１ａ１内に挿入する。この状態で、長開口部３１ａ１の下突出片部３５に平行な方向の幅が固定用ピン２の軸部２２の直径よりわずかに小さく形成されているので、固定用ピン２はピン挿通孔３１ａから外れることはない。また、サブベース部３６のピン挿通孔３６ｅの構造も前記ピン挿通孔３１ａと同様であり、このピン挿通孔３６ｅと固定用ピン２との作用効果も同様である。
【００２９】
なお、この実施形態のアタッチメント３もサブベース部３６の下端にテーパ面３６ａが形成されており、アタッチメント３を梱包箱２０のスリット部２０ｂに嵌め込むときに、このテーパ面３６ａによりスリット部２０ｂに導き易くなり、梱包作業の作業性が向上する。
【００３０】
図９は実施形態のアタッチメント３を壁面に固定するときの状態を示す斜視図（図９(A)  ）及び一部拡大斜視図（図９(B) ）である。このアタッチメント３を壁面に固定するときは、図９に示すように、固定用ピン２の頭部２３側を斜めに起こし、軸部２２をピン挿通孔３１ａ，３６ｅの軸Ｌ，Ｌにそれぞれ一致させる。そして、ベース部３１においては壁面に上方に向かって傾斜して固定用ピン２，２を打ち込み、サブベース３６においては壁面に下方に向かって傾斜してピン２を打ち込む。
【００３１】
以上のように、実施形態の取付ユニットによれば、固定用ピン２がアタッチメント１のピン保持孔１２ｃ、あるいはアタッチメント３のピン挿通孔３１ａ，ピン挿通孔３６ｅにより仮保持されているので、梱包箱２０からアタッチメント１，３を取り出すとき固定用ピン２の紛失等も防止でき火災警報器１０の設置時の作業性を損なうことがない。また、ポリ袋等も必要としせず、ゴミを低減して環境保護にもなる。
【００３２】
実施形態では火災警報器１０を壁面に対して取り付け固定する場合を例に取って説明したが、本発明は、火災警報器１０に限らず、アタッチメントを介して筐体を壁面に取り付ける装置の全般に、広く適用可能であることは言うまでもない。
【符号の説明】
【００３３】
１，３    アタッチメント
２        固定用ピン
２１      先端部
１２ｃ    ピン保持孔（ピン保持部）
１６ｃ    ピン隠しリブ
３１ａ，  ピン挿通孔
３１ａ２  当接面
【図１】
0005223016.tif 000002
【図２】
0005223016.tif 000003
【図３】
0005223016.tif 000004
【図４】
0005223016.tif 000005
【図５】
0005223016.tif 000006
【図６】
0005223016.tif 000007
【図７】
0005223016.tif 000008
【図８】
0005223016.tif 000009
【図９】
0005223016.tif 000010